【手続補正書】
【提出日】平成20年1月29日(2008.1.29)
【手続補正１】
【補正対象書類名】特許請求の範囲
【補正対象項目名】全文
【補正方法】変更
【補正の内容】
【特許請求の範囲】
【請求項１】
各チャンネルに対応したチャンネルデータ信号を含むデジタルテレビ放送信号を受信可能であり、かつ動作プログラムを格納したメモリ部を備えたデジタルテレビ放送受信装置であって、
チャンネルデータ信号を映像信号及び音声信号に復号処理する復号手段と、
チャンネルの切換え処理が発生したか否かを判定する判定手段と、
前記判定手段によってチャンネルの切換え処理が発生したと判定された場合、切換え処理が発生してから、当該切換え処理によって新規に選択されるチャンネルデータ信号の復号処理を前記復号手段が開始するまでの期間内に、前記メモリ部へのデータ書き込み処理を実行する処理手段と、を有することを特徴とするデジタルテレビ放送受信装置。
【請求項２】
前記動作プログラムを更新するために、前記デジタルテレビ放送信号に含まれて送信される更新用動作プログラムを前記メモリ部の所定領域に格納する格納手段とを有し、
前記処理手段は前記判定手段によってチャンネルの切換え処理が発生したと判定された場合、切換え処理が発生してから、当該切換え処理によって新規に選択されるチャンネルデータ信号の復号処理を前記復号手段が開始するまでの期間内に、前記格納手段によって前記メモリ部の所定領域に格納された前記更新用動作プログラムを実行可能とするため、前記メモリ部の更新処理を実行することを特徴とする請求項１に記載のデジタルテレビ放送受信装置。
【請求項３】
前記処理手段により前記メモリ部の更新処理が行われている間、所定の割込み処理が発生するか否かを判定する割込み処理判定手段と、
前記割込み処理判定手段の判定結果に基づき、前記処理手段による更新処理を中止させる処理を実行する中止処理実行手段とを有することを特徴とする請求項２に記載のデジタルテレビ放送受信装置。
【請求項４】
前記処理手段は前記更新用動作プログラムを実行可能とするための更新処理を実行し、さらに当該更新用動作プログラムが正常に動作可能か否かを判定する判定処理を実行することを特徴とする請求項２に記載のデジタルテレビ放送受信装置。
【請求項５】
前記処理手段は前記判定手段によってチャンネルの切換え処理が発生したと判定された場合、切換え処理が発生してから、当該切換え処理によって新規に選択されるチャンネルデータ信号の復号処理を前記復号手段が開始するまでの期間内に、前記メモリ部の使用領域と未使用領域とを再配置する処理を実行することを特徴とする請求項１乃至４のいずれか１項に記載のデジタルテレビ放送受信装置。
【請求項６】
各チャンネルに対応したチャンネルデータ信号を含むデジタルテレビ放送信号を受信可能であり、かつ動作プログラムを格納したメモリ部を備えたデジタルテレビ放送受信装置の制御方法であって、
チャンネルデータ信号を映像信号及び音声信号に復号処理する復号ステップと、
チャンネルの切換え処理が発生したか否かを判定する判定ステップと、
前記判定ステップによってチャンネルの切換え処理が発生したと判定された場合、切換え処理が発生してから、当該切換え処理によって新規に選択されるチャンネルデータ信号の復号処理を前記復号ステップで開始するまでの期間内に、前記メモリ部へのデータ書き込み処理を実行する処理ステップと、を有することを特徴とするデジタルテレビ放送受信装置の制御方法。
【請求項７】
前記動作プログラムを更新するために、前記デジタルテレビ放送信号に含まれて送信される更新用動作プログラムを前記メモリ部の所定領域に格納する格納ステップと、を有し、
前記処理ステップでは前記判定ステップによってチャンネルの切換え処理が発生したと判定された場合、切換え処理が発生してから、当該切換え処理によって新規に選択されるチャンネルデータ信号の復号処理を前記復号ステップで開始するまでの期間内に、前記格納ステップによって前記メモリ部の所定領域に格納された前記更新用動作プログラムを実行可能とするため、前記メモリ部の更新処理を実行することを特徴とする請求項６に記載のデジタルテレビ放送受信装置の制御方法。
【請求項８】
前記処理ステップにより前記メモリ部の更新処理が行われている間、所定の割込み処理が発生するか否かを判定する割込み処理判定ステップと、
前記割込み処理判定ステップの判定結果に基づき、前記処理ステップで実行されている更新処理を中止させる処理を実行する中止処理実行ステップと、を有することを特徴とする請求項７に記載のデジタルテレビ放送受信装置の制御方法。
【請求項９】
前記処理ステップでは前記更新用動作プログラムを実行可能とするための更新処理を実行し、さらに当該更新用動作プログラムが正常に動作可能か否かを判定する判定処理を実行することを特徴とする請求項７に記載のデジタルテレビ放送受信装置の制御方法。
【請求項１０】
前記処理ステップでは、前記判定ステップによってチャンネルの切換え処理が発生したと判定された場合、切換え処理が発生してから、当該切換え処理によって新規に選択されるチャンネルデータ信号の復号処理を前記復号ステップで開始するまでの期間内に、前記メモリ部の使用領域と未使用領域とを再配置する処理を実行することを特徴とする請求項６乃至９のいずれか１項に記載のデジタルテレビ放送受信装置の制御方法。
【請求項１１】
コンピュータを請求項１乃至５のいずれかに記載の装置として動作させるための制御プログラム。
【手続補正２】
【補正対象書類名】明細書
【補正対象項目名】発明の名称
【補正方法】変更
【補正の内容】
【発明の名称】デジタルテレビ放送受信装置、デジタルテレビ放送受信装置の制御方法、及びその制御プログラム
【手続補正３】
【補正対象書類名】明細書
【補正対象項目名】０００１
【補正方法】変更
【補正の内容】
【０００１】
本発明は、デジタルテレビ放送信号を受信自在なデジタルテレビ放送受信装置、デジタルテレビ放送受信装置の制御方法、及びその制御プログラムに関する。
【手続補正４】
【補正対象書類名】明細書
【補正対象項目名】０００３
【補正方法】変更
【補正の内容】
【０００３】
【特許文献１】特開平９−２９８７５２号公報
【手続補正５】
【補正対象書類名】明細書
【補正対象項目名】０００９
【補正方法】変更
【補正の内容】
【０００９】
そこで本発明は、チャンネルの切換え処理が発生したと判定された場合、切換え処理が発生してから、当該切換え処理によって新規に選択されるチャンネルデータ信号の復号処理を開始するまでの期間内に、メモリ部へのデータ書き込み処理を実行することを可能にし、もって上記課題を解決したデジタルテレビ放送受信装置、デジタルテレビ放送受信装置の制御方法、及びその制御プログラムを提供することを目的とするものである。
【手続補正６】
【補正対象書類名】明細書
【補正対象項目名】００１０
【補正方法】変更
【補正の内容】
【００１０】
上記課題を解決するため、本発明は、各チャンネルに対応したチャンネルデータ信号を含むデジタルテレビ放送信号を受信可能であり、かつ動作プログラムを格納したメモリ部を備えたデジタルテレビ放送受信装置であって、
チャンネルデータ信号を映像信号及び音声信号に復号処理する復号手段と、
チャンネルの切換え処理が発生したか否かを判定する判定手段と、
前記判定手段によってチャンネルの切換え処理が発生したと判定された場合、切換え処理が発生してから、当該切換え処理によって新規に選択されるチャンネルデータ信号の復号処理を前記復号手段が開始するまでの期間内に、前記メモリ部へのデータ書き込み処理を実行する処理手段と、を有することを特徴とする。
【手続補正７】
【補正対象書類名】明細書
【補正対象項目名】００１１
【補正方法】変更
【補正の内容】
【００１１】
また、本発明は、各チャンネルに対応したチャンネルデータ信号を含むデジタルテレビ放送信号を受信可能であり、かつ動作プログラムを格納したメモリ部を備えたデジタルテレビ放送受信装置の制御方法であって、
チャンネルデータ信号を映像信号及び音声信号に復号処理する復号ステップと、
チャンネルの切換え処理が発生したか否かを判定する判定ステップと、
前記判定ステップによってチャンネルの切換え処理が発生したと判定された場合、切換え処理が発生してから、当該切換え処理によって新規に選択されるチャンネルデータ信号の復号処理を前記復号ステップで開始するまでの期間内に、前記メモリ部へのデータ書き込み処理を実行する処理ステップと、を有することを特徴とする。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
本発明によると、映像の表示を中断する必要があったメモリ部へのデータ書き込み処理を、ユーザに違和感を与えることなく、また、無用の操作を強要することなく、チャンネル切換え時に行うことができる。
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００３７
【補正方法】変更
【補正の内容】
【００３７】
当該デジタルテレビ放送受信機の動作プログラムを保管しておく領域としては、２つの格納領域、即ち、プログラムエリアＡの格納領域１６６とプログラムエリアＢの格納領域１６８とが用意されている。エクセプションカウンタの格納領域１６９には、ダウンロードされたプログラムを実行した場合に、メモリバイオレーション、ディテクトなど正しく動作しない場合には例外処理に分岐するので、その回数を数えるためのエクセプションカウンタが記録される。ラストチャンネルの格納領域１８０には、電源断の時に見ていたチャンネルをセーブしておいて電源再投入時に同じチャンネルが選択されるように、チャンネルのトランスポンダ情報及びＰＩＤが記憶される。ワークエリアの格納領域１８１には、明度、彩度などのモニタの調整値などが記憶される。
【手続補正１６】
【補正対象書類名】明細書
【補正対象項目名】００４５
【補正方法】変更
【補正の内容】
【００４５】
リスタートが行われると、ステップ２０４において、ブートプログラムがブートプログラムの格納領域１６１からワークエリアの格納領域１７３へロードされる。ブートプログラムは格納領域１６４のプログラムエリアフラグを判定し、プログラムエリアＡ又はプログラムエリアＢに入っている動作プログラム、即ちダウンロードした動作プログラムの圧縮を解凍しながらプログラムメモリの格納領域１７１へロードし、当該動作プログラムのチェックサムを行う。該チェックサムの結果が正常である場合は、ステップ２０７に進み、プログラムカウンタを動作プログラムの実行開始アドレスにすることで当該動作プログラムを起動する。なお、該チェックサムの結果が正常であり、そのロードした動作プログラムによる処理にシステムコントローラ１８の動作が移行した後には、特別にロード実行用のプログラムメモリは不要となり、この時点で使用していないワークエリアの格納領域１７３を他のデータの記録に用いてもよいことになる。
【手続補正１７】
【補正対象書類名】明細書
【補正対象項目名】００４７
【補正方法】変更
【補正の内容】
【００４７】
一方、上記ステップ２００〜２０７におけるチャンネル切換え時更新処理の間において、例えば演算処理能力（ＣＰＵパワー）を圧迫するような、例外処理（不測の割込み処理）が発生すると、割込み処理判定手段１８ｉにより判定される。するとまず、割込み時更新中止手段１８ｊは、ステップ２１３において、例外処理要因のクリアを行い、繰り返し例外処理割り込みがかからないようにする。次にステップ２１４において、格納領域１６９のエクセプションカウンタを＋１して、ステップ２１５に進む。
【手続補正１８】
【補正対象書類名】明細書
【補正対象項目名】００６１
【補正方法】変更
【補正の内容】
【００６１】
上述のＭＰＥＧ２のデコード処理のうち、上記ステップ３０４〜３０６におけるハフマン復号化、逆量子化、ＩＤＣＴ処理は、多大な演算処理量（ＣＰＵタイム）及び多大なメモリ領域を必要とする。そこで、チャンネル切換え処理中においてＩピクチャが出現するまでは、ステップ３００〜３０３、及びステップ３０８を繰り返し、多大な演算処理量を必要とするステップ３０４〜３０７の処理を行わないようにする。これにより、チャンネル切換え時にメモリの再配置を行うことが可能となる。